(57)【特許請求の範囲】
【請求項１】
目皿が軸心を中心に回転して前記目皿の目皿孔と繰出板の繰出口とが連通したときに前記目皿の目皿孔に溜まった粒状物が前記繰出板の繰出口から繰出されるように構成されるものであり、前記目皿は上目皿孔を有する上目皿と下目皿孔を有する下目皿とを備えて構成され、前記目皿の目皿孔は前記上目皿の上目皿孔と前記下目皿の下目皿孔とで構成されるとともに位置変更手段によって前記繰出板および前記下目皿を移動させることにより前記目皿の目皿孔の容積を増減可能に構成される、粒状物の繰出装置であって、
前記繰出装置は、前記位置変更手段の移動部における、前記下目皿の軸心方向への移動を案内する案内手段を備え、
該案内手段は、繰出装置のケースを構成する下ケースの内面に、前記下目皿の軸心方向と平行に案内溝を形成し、
前記位置変更手段は、前記繰出板の下面に当接して、前記下目皿に偏荷重がかからないように前記繰出板を押圧しながら、軸心方向に移動可能に構成される移動部を備え、
該移動部は、押圧板と、カム当接部材とにより構成され、
該カム当接部材は、棒状の部材であり、両端部が押圧板から外側に突出され、
該押圧板から突出したカム当接部材の両端部が前記案内溝のそれぞれに嵌装され、
前記カム当接部材には、下方から位置変更手段の操作部により回動されるカム部材が接当される
ことを特徴とする粒状物の繰出装置。
【請求項２】
請求項１に記載の粒状物の繰出装置において、前記位置変更手段の移動部を構成する一対の押圧板は平板状の部材であり、上部が二又状の側面視略Ｖ字状に形成され、前記押圧板は、前記下目皿の軸心から等距離で繰出板の下面の複数箇所に当接するように構成されることを特徴とする粒状物の繰出装置。
【発明の詳細な説明】
【技術分野】
【０００１】
本発明は、粒状物の繰出装置の技術に関する。
【背景技術】
【０００２】
従来、粒状物を所定量毎に繰出す粒状物の繰出装置の技術は各種知られている。このような粒状物の繰出装置には、粒状物である種子を播く播種装置に備えられて、種子（粒状物）を所定量毎に繰出すものが公知となっている（特許文献１参照）。
【０００３】
また、このような粒状物の繰出装置には、ホッパからケース内に落下された粒状物が目皿の目皿孔における上方の開口から供給されて目皿孔内に溜められていき、目皿が回転して繰出板の繰出口の上方に目皿の目皿孔が位置し、目皿の目皿孔と繰出板の繰出口とが連通したときに、目皿の目皿孔に溜まった粒状物が繰出板の繰出口から繰出されるように構成されるものがある。
【０００４】
さらに、このような粒状物の繰出装置には、目皿が、上目皿孔を有する上目皿と下目皿孔を有する下目皿とを備えて構成され、目皿の目皿孔が、上目皿の上目皿孔と下目皿の下目皿孔とで構成されるとともに位置変更手段によって繰出板および下目皿を移動させることにより目皿の目皿孔の容積を増減可能に構成されるものがある。当該粒状物の繰出装置の位置変更手段は、繰出板の下面に当接して繰出板を押圧しながら下目皿の軸心方向に繰出板および下目皿を移動させるように構成される。
【先行技術文献】
【特許文献】
【０００５】
【特許文献１】特開２００１−２５１９０９号公報
【発明の概要】
【発明が解決しようとする課題】
【０００６】
しかしながら、このような粒状物の繰出装置では、位置変更手段によって下目皿の軸心方向に繰出板および下目皿を移動させるときに繰出板の下面を押圧すると、繰出板の軸心が下目皿の軸心方向に対して傾斜して繰出板（繰出板の側部の角）がケースの内壁に引っ掛る場合がある。そして、このような粒状物の繰出装置では、前述のように繰出板がケースの内壁に引っ掛ることによって繰出板（および下目皿）が移動しにくくなり、下目皿の軸心方向に繰出板および下目皿を移動させるときの繰出板の動作不良が発生する場合がある。
【０００７】
本発明は、以上の如き状況に鑑みてなされたものであり、位置変更手段によって下目皿の軸心方向に繰出板および下目皿を移動させるときの繰出板の動作不良が発生することを抑制することができる粒状物の繰出装置を提供すること、を課題とする。
【課題を解決するための手段】
【０００８】
本発明の解決しようとする課題は以上の如くであり、次にこの課題を解決するための手段を説明する。
【０００９】
請求項１においては、目皿が軸心を中心に回転して前記目皿の目皿孔と繰出板の繰出口とが連通したときに前記目皿の目皿孔に溜まった粒状物が前記繰出板の繰出口から繰出されるように構成されるものであり、前記目皿は上目皿孔を有する上目皿と下目皿孔を有する下目皿とを備えて構成され、前記目皿の目皿孔は前記上目皿の上目皿孔と前記下目皿の下目皿孔とで構成されるとともに位置変更手段によって前記繰出板および前記下目皿を移動させることにより前記目皿の目皿孔の容積を増減可能に構成される、粒状物の繰出装置であって、前記繰出装置は、前記位置変更手段の移動部における、前記下目皿の軸心方向への移動を案内する案内手段を備え、該案内手段は、繰出装置のケースを構成する下ケースの内面に、前記下目皿の軸心方向と平行に案内溝を形成し、前記位置変更手段は、前記繰出板の下面に当接して、前記下目皿に偏荷重がかからないように前記繰出板を押圧しながら、軸心方向に移動可能に構成される移動部を備え、該移動部は、押圧板と、カム当接部材とにより構成され、該カム当接部材は、棒状の部材であり、両端部が押圧板から外側に突出され、該押圧板から突出したカム当接部材の両端部が前記案内溝のそれぞれに嵌装され、前記カム当接部材には、下方から位置変更手段の操作部により回動されるカム部材が接当されるものである。
【００１０】
請求項２においては、請求項１に記載の粒状物の繰出装置において、前記位置変更手段の移動部を構成する一対の押圧板は平板状の部材であり、上部が二又状の側面視略Ｖ字状に形成され、前記押圧板は、前記下目皿の軸心から等距離で繰出板の下面の複数箇所に当接するように構成されるものである。
【発明の効果】
【００１１】
本発明の効果として、以下に示すような効果を奏する。
【００１２】
即ち、本発明によれば、位置変更手段によって下目皿の軸心方向に繰出板および下目皿を移動させるときの繰出板の動作不良が発生することを抑制することができる。
【図面の簡単な説明】
【００１３】
【図１】本発明の実施形態に係る繰出装置を備える湛水直播機が装着された走行機体の全体的な構成を示した側面図。
【図２】本発明の実施形態に係る繰出装置を備える湛水直播機を示した背面図。
【図３】本発明の実施形態に係る繰出装置を示した側面断面図。
【図４】本発明の実施形態に係る繰出装置を示した一部拡大側面断面図。
【図５】本発明の実施形態に係る繰出装置の内部構造を示した分解背面図。
【図６】本発明の実施形態に係る繰出装置の内部構造を示した分解正面図。
【図７】本発明の実施形態に係る繰出装置を示した側面断面図。
【発明を実施するための形態】
【００１４】
次に、本発明の実施形態に係る粒状物の繰出装置（以下「繰出装置」という）１について、図１から図７を用いて説明する。
【００１５】
繰出装置５０は、粒状物を所定量毎に繰出すものである。繰出装置５０は、例えば、粒状の薬剤（粒状物）を散布する薬剤散布装置１６や、粒状の種子（粒状物）を播く播種装置４０、等に備えられる。以下において、繰出装置から繰出される粒状物は、粒状の種子であるものとし、繰出装置は、播種装置に備えられて前記粒状の種子を繰出すものとして、説明する。
【００１６】
繰出装置５０を備える播種装置４０（湛水直播機１９）が装着される走行機体１の全体的な構成について、図１を用いて説明する。図１に示すように、走行機体１は、走行部１０と昇降リンク機構２０とを具備する。走行機体１の後部には、昇降リンク機構２０を介して湛水直播機１９が装着される。走行機体１における走行部１０の後部上には、施肥機１７が搭載され、湛水直播機１９の後部上に薬剤散布装置１６が搭載される。
【００１７】
走行部１０では、エンジン２が機体の前部に設けられる。走行部１０のエンジン２は、ボンネット４により被覆される。走行部１０では、ミッションケースが機体の前部に支持されるとともにエンジン２の後下方に配置される。走行部１０では、フロントアクスルケース５が機体の前部に支持され、前車輪６がフロントアクスルケース５の左右両側に支承される。走行部１０では、リアアクスルケース７が機体の後部に支持され、後車輪８が当該リアアクスルケース７の左右両側に支承される。
【００１８】
そして、走行部１０は、エンジン２の動力が前記ミッションケースを介して左右の前車輪６と左右の後車輪８とにそれぞれ伝達されて、前車輪６および後車輪８が回転駆動するように構成される。このようにして、走行機体１が前進又は後進走行可能とされる。
【００１９】
走行部１０では、機体の前後中途部に運転操作装置１１が設けられる。走行部１０の運転操作装置１１の前部には、操向操作用の環状の操向ハンドル１２、各種操作ペダル１３、ダッシュボード１４などが配置される。走行部１０の運転操作装置１１の後部には、運転席１５が操向ハンドル１２の後方に位置するように配置される。走行部１０のダッシュボード１４の上には、操向ハンドル１２に加えて、各種の操作具や表示装置が配置される。
【００２０】
昇降リンク機構２０は、左右一対の上リンク２１・２１、左右一対の下リンク２２・２２、回転アーム２５、および、油圧シリンダ２６等を備える。
【００２１】
昇降リンク機構２０の一対の上リンク２１・２１は、左右方向に間隔を空けて相互に平行に設けられる。昇降リンク機構２０の上リンク２１・２１の一端部（前端部）は、軸部材２３を支点として上下方向に回転可能に機体後部に支持される。昇降リンク機構２０の上リンク２１・２１の他端部（後端部）は、湛水直播機１９の前端に取付けられる。昇降リンク機構２０の一対の下リンク２２・２２は、左右方向に間隔を空けて相互に平行に設けられる。昇降リンク機構２０の下リンク２２・２２の一端部（前端部）は、軸部材２４を支点として上下方向に回転可能に機体後部に支持される。昇降リンク機構２０の下リンク２２・２２の他端部（後端部）は、湛水直播機１９の前端部に取付けられる。
【００２２】
昇降リンク機構２０の回転アーム２５は棒状の部材であり、その一端部（下端部）は下リンク２２・２２の間に固定される。昇降リンク機構２０の油圧シリンダ２６は、機体後部に装着される湛水直播機１９を昇降させるためのアクチュエータである。昇降リンク機構２０の油圧シリンダ２６の一端部は、回転アーム２５の他端部（上端部）に連結される。昇降リンク機構２０の油圧シリンダ２６の他端部は、機体に連結される。そして、走行機体１の昇降リンク機構２０は、油圧シリンダ２６を伸縮させることにより、回転アーム２５、上リンク２１・２１、および、下リンク２２・２２、を回動させて、湛水直播機１９を昇降させるように構成される。
【００２３】
湛水直播機１９は、水を湛えた状態の水田に水稲の種子を直接播くものであり、播種フレーム、播種フレームに取付けられるフロート１８、マーカー２７、および、播種装置４０等を備える。湛水直播機１９のフロート１８は、センターフロートとサイドフロート等からなり、播種装置４０が泥中に沈まないように支持する。湛水直播機１９のマーカー２７は、播種フレームの左右両側に上下回動可能に支持され、枕地で回行して次の条の播種をおこなう時の目印を田面上に付けるためのものである。湛水直播機１９の播種装置４０は、左右方向に複数台並べて配置される。
【００２４】
湛水直播機１９の播種装置４０は、粒状の種子を播くものであり、図２に示すように、粒状の種子（粒状物）が収容されるホッパ４１と、ホッパ４１に収納される前記種子を繰出す繰出装置５０と、を備える。播種装置４０は、ホッパ４１の下端に繰出装置５０が配置され、繰出装置５０の下端に筒体４２が設けられて構成される。播種装置４０は、繰出装置５０によって繰出された種子を筒体４２の下端の開口から排出して、種子を播くように構成される。
【００２５】
播種装置４０の繰出装置５０は、種子を点播するように所定量毎に繰出す装置であり、左右方向に条数分複数台（例えば、８台）並べて配置される。播種装置４０の繰出装置５０は、図３乃至図６に示すように、ケース５１と、目皿駆動軸５２と、スペーサ５３と、目皿６０と、繰出板５５と、シム５７と、弾性部材５６と、位置変更手段と、を備える。
【００２６】
播種装置４０における繰出装置５０のケース５１は、主として上ケース５１ａと下ケース５１ｂとで構成され、上ケース５１ａと下ケース５１ｂとが上下に配置されて全体として略筒状に構成される。繰出装置５０のケース５１には、目皿駆動軸５２、スペーサ５３、目皿６０、および、繰出板５５が配置される。また、繰出装置５０のケース５１には、各々の軸心が一致するように、目皿駆動軸５２、スペーサ５３、および、目皿６０が配置される。
【００２７】
播種装置４０における繰出装置５０の目皿駆動軸５２は、目皿６０を回転駆動させるものであり、その軸心が上後下前に傾斜するようにケース５１内に配置される。繰出装置５０の目皿駆動軸５２の上部には、ベベルギアが設けられる。そして、繰出装置５０の目皿駆動軸５２は、前記ベベルギアに、上ケース５１ａの上部側方から上ケース５１ａ内に貫入された回転軸４３に設けられたベベルギアが噛合されて、回転軸４３の回転動力が目皿駆動軸５２に伝達可能に構成される。このようにして、繰出装置５０の目皿駆動軸５２は、回転軸４３が回転することにより、目皿駆動軸５２の軸心方向に対して周方向に回転するように構成される。播種装置４０の回転軸４３は、前記複数台の播種装置４０の繰出装置５０の上ケース５１ａ内に左右水平方向に嵌挿されるように横設されて（図２参照）、ミッションケースに入力されたエンジン２からの動力が複数台の繰出装置５０・５０・・・の各々に伝達するように構成される。
【００２８】
播種装置４０における繰出装置５０のスペーサ５３は、略環状に形成される部材であり、ケース５１内において目皿６０の上方に配置される。繰出装置５０のスペーサ５３は、その下面の内周側から下方に突出するように形成される環状の突出部５３ａを有する。繰出装置５０のスペーサ５３は、上ケース５１ａの係合突起にその係合溝５３ｂが係合されることにより上ケース５１ａに固定される。このようにして、繰出装置５０のスペーサ５３は、上ケース５１ａ内で、上下方向（スペーサ５３の軸心方向）に移動しないように構成されるとともに、スペーサ５３の周方向に回転しないように位置決めされる。
【００２９】
繰出装置５０のシム５７は、ステンレス鋼素材からなる円盤状の部材であり、ケース５１（上ケース５１ａ）内に配置される。繰出装置５０のシム５７は、シム５７の内径がスペーサ５３の内経と略同一に形成される。繰出装置５０のシム５７は、スペーサ５３と目皿６０との間に配置される。繰出装置５０のシム５７は、スペーサ５３の軸心とシム５７の軸心とを一致させ、シム５７の上面がスペーサ５３の下面に当接するようにして、スペーサ５３の下方に配置される。繰出装置５０のシム５７は、目皿６０の軸心とシム５７の軸心とを一致させ、シム５７の下面が目皿６０の上面に当接するようにして、目皿６０の上方に配置される。
【００３０】
播種装置４０における繰出装置５０の目皿６０は、略円盤状の部材であり、ケース５１内においてシム６０と繰出板５５との間に配置される。繰出装置５０の目皿６０は、その中央部において駆動軸５２に固定されて、目皿駆動軸５２が回転すると、目皿駆動軸５２と一体となって回転するように構成される。このとき、繰出装置５０の目皿６０は、目皿６０の軸心を回転軸心として目皿６０の周方向に回転するように構成される。
【００３１】
播種装置４０における繰出装置５０の目皿６０は、目皿孔６１を有する。繰出装置５０の目皿６０の目皿孔６１は、ホッパ４１に収納される種子を繰出す際に、当該種子が一時的に溜められる部分である。繰出装置５０の目皿６０の目皿孔６１は、目皿６０の半径方向中途部に、目皿６０の上面から下面に貫通するように形成される。繰出装置５０の目皿６０の目皿孔６１は、目皿６０の軸心とスペーサ５３の軸心とを一致させるようにしてスペーサ５３の下方に目皿６０が配置された状態で、目皿孔６１の上方の開口がスペーサ５３の内周面よりも内側（軸心側）に位置するように形成される。繰出装置５０の目皿６０の目皿孔６１は、複数個配置される。繰出装置５０では、八個の目皿孔６１・６１・・が目皿６０の軸心を中心にして周方向に均等に配置される。繰出装置５０における目皿６０の目皿孔６１は、同心円上に等角度で設けられる。なお、繰出装置５０の目皿６０の目皿孔６１の数は限定されるものではない。繰出装置５０の目皿６０の目皿孔６１は、その容積を増減可能に構成される。
【００３２】
播種装置４０における繰出装置５０の繰出板５５は、略円盤状の部材であり、繰出板５５の上面が目皿６０の下面に当接するようにして目皿６０の下方に配置される。繰出装置５０の繰出板５５は、目皿駆動軸５２および目皿６０が回転してもこれに追従して回転しないように、下ケース５１ｂ内に配置される。繰出装置５０の繰出板５５は、繰出板５５の軸心と目皿６０の軸心とが同一軸心上に配置される。繰出装置５０の繰出板５５は、目皿６０の軸心方向に移動可能に構成される。
【００３３】
播種装置４０における繰出装置５０の繰出板５５は、繰出口５５ａと、中央孔５５ｂと、を有する。繰出装置５０の繰出板５５の繰出口５５ａは、前記目皿６０の目皿孔６１に溜まった種子が目皿孔６１から落下して繰出される部分である。繰出装置５０の繰出板５５の繰出口５５ａは、繰出板５５における前方の部分が、繰出板５５の外周端から中央方向に向かって半径方向の中途部まで凹状に切欠かれるようにして形成される。繰出装置５０の繰出板５５の繰出口５５ａは、繰出板５５の軸心と目皿６０の軸心とを一致させるようにして目皿６０の下方に繰出板５５が配置された状態で、目皿６０が回転したときの目皿孔６１の回転軌跡よりも内側（中央側）まで切欠かれるように形成される。繰出装置５０の繰出板５５の中央孔５５ｂは、繰出板５５の中央部に上面から下面に貫通するように形成される。
【００３４】
このように構成される播種装置４０の繰出装置５０は、目皿６０が回転して目皿６０の目皿孔６１が後方に位置したときに、ホッパ４１から落下された種子が、目皿６０の目皿孔６１における上方の開口から供給されて目皿孔６１内に溜められていくように構成される。このとき、繰出装置５０の目皿６０の目皿孔６１における前方以外の下方の開口は、繰出板５５によって閉じられた状態となっている。そして、繰出装置５０は、目皿６０が更に回転して繰出板５５の繰出口５５ａの上方に目皿６０の目皿孔６１が位置する（目皿孔６１が前方に位置する）と、目皿６０の目皿孔６１と繰出板５５の繰出口５５ａとが連通して、前記目皿６０の目皿孔６１に溜まった種子が、下方に落ちて繰出板５５の繰出口５５ａから繰出されるように構成される。繰出装置５０は、上ケース５１ａ内における繰出板５５の上方の空間が、その後側の空間から前側の空間に種子が入り込まないように隔壁等で閉じられるとともに、前記後側の空間が、その上方においてホッパ４１と連通するように構成される。繰出装置５０は、斯かる動作を繰返すことにより、種子を所定量毎に繰出して点播するように構成される。
【００３５】
次に、播種装置４０における繰出装置５０の目皿６０の目皿孔６１が容積を増減可能な構成について具体的に説明する。繰出装置５０の目皿６０は、図３乃至図６に示すように、上目皿７０と、下目皿８０と、を備えて構成される。
【００３６】
播種装置４０における繰出装置５０の上目皿７０は、略円盤状の部材であり、上目皿７０の軸心と下目皿８０の軸心と一致させるようにして下目皿８０の上方に配置される。繰出装置５０の上目皿７０は、上目皿７０の上面の周縁部がスペーサ５３の下面に当接するようにスペーサ５３の下方に配置される。繰出装置５０の上目皿７０は、凸部７１と、中央孔７２と、突出部７３と、上目皿孔７４と、下ガイド７５と、上突出部７６と、を有する。
【００３７】
播種装置４０における繰出装置５０の上目皿７０の凸部７１は、上目皿７０の上面の中央部から円筒状に上方に突出するように形成される。繰出装置５０における上目皿７０の中央孔７２は、凸部７１の中央部（上目皿７０の中央部）に、凸部７１の上面から上目皿７０の下面に貫通するように形成される。繰出装置５０における上目皿７０の中央孔７２は、目皿駆動軸５２の下部を嵌挿可能に構成される。そして、繰出装置５０における上目皿７０は、上目皿７０の中央孔７２に目皿駆動軸５２の下部が嵌挿されて目皿駆動軸５２に固定されて、目皿駆動軸５２が回転すると目皿駆動軸５２と一体となって回転するように構成される。
【００３８】
播種装置４０における繰出装置５０の上目皿７０の突出部７３は、上目皿７０の半径方向中途部において、上目皿７０の下面から下方（上目皿７０の軸心方向）に突出するように形成される。繰出装置５０における上目皿７０の突出部７３は、円筒状に形成される。繰出装置５０における上目皿７０の突出部７３は、下目皿８０の下目皿孔８４の上方から下目皿８０の下目皿孔８４に挿入可能に形成される。繰出装置５０の上目皿７０の突出部７３は、突出部７３の外径が下目皿８０の下目皿孔８４の内径と略同一に形成されて、上目皿７０の突出部７３の外面と下目皿８０の下目皿孔８４の内面との間に隙間が無い状態で摺動可能に形成される。繰出装置５０の上目皿７０の突出部７３は、突出部７３の先端部（下端部）における壁部の厚みが種子（粒状物）の半径よりも小さく形成されて構成される。繰出装置５０の上目皿７０の突出部７３は、先端部の断面形状が尖状に形成されて構成される。繰出装置５０における上目皿７０の突出部７３は、複数個配置される。繰出装置５０では、八個の突出部７３・７３・・が上目皿７０の軸心を中心にして周方向に均等に配置される。
【００３９】
播種装置４０における繰出装置５０の上目皿７０の上目皿孔７４は、突出部７３を通って上目皿７０を貫通するように形成される。繰出装置５０における上目皿７０の上目皿孔７４は、突出部７３の軸心方向（突出部７３の突出する方向）に沿って、上目皿７０の上面から突出部７３における突出方向の先端（突出部７３の下面）に貫通するように形成される。繰出装置５０における上目皿７０の上目皿孔７４は、円柱状に形成される。繰出装置５０における上目皿７０の上目皿孔７４は、上目皿７０の軸心とスペーサ５３との軸心とを一致させるようにしてスペーサ５３の下方に上目皿７０が配置された状態で、上目皿孔７４の上方の開口がスペーサ５３の内周面よりも内側（中央側）に位置するように形成される。繰出装置５０における上目皿７０の上目皿孔７４は、突出部７３の突出する方向に末広がり（テーパ状）に形成される。繰出装置５０の上目皿７０の上目皿孔７４は、そのテーパ角が極めて小さくなるように（例えば、テーパ角が１０度以下になるように）形成される。繰出装置５０における上目皿７０の上目皿孔７４は、複数個配置される。繰出装置５０では、八個の上目皿孔７４・７４・・が上目皿７０の軸心を中心にして周方向に均等に配置される。
【００４０】
播種装置４０における繰出装置５０の上目皿７０の下ガイド７５は、上目皿７０の下面の周縁部全周から下方に突出するように環状に形成される。
【００４１】
播種装置４０における繰出装置５０の上目皿７０の上突出部７６は、上目皿７０の上面から上方（スペーサ５３の方向に）に突出するように形成される。繰出装置５０における上目皿７０の上突出部７６は、その上端位置が上目皿孔７４の上方の開口よりも高くなるように、形成される。繰出装置５０における上目皿７０の上突出部７６は、上目皿７０の上面の周縁部全周に配置されて、環状に形成される。繰出装置５０における上目皿７０の上突出部７６は、上目皿７０の軸心とシム５７の軸心とを一致させるようにしてシム５７の下方に上目皿７０が配置された状態で、スペーサ５３の下方に位置するように形成される。繰出装置５０における上目皿７０の上突出部７６は、上目皿７０の半径方向において上目皿孔７４の上方の開口よりも外側（上目皿７０の軸心側と反対側）に配置される。繰出装置５０における上目皿７０の上突出部７６は、上目皿７０の半径方向において上目皿７０の半径方向外側端のやや内側（上目皿７０の軸心側）に配置される。
【００４２】
播種装置４０における繰出装置５０の下目皿８０は、その外径が上目皿７０の下ガイド７５の内径よりも小さく形成される略円盤状の部材である。繰出装置５０の下目皿８０は、その厚さ方向の長さ（軸心方向の長さ）が上目皿７０の突出部７３における軸心方向の長さと略同一に構成される。
【００４３】
播種装置４０における繰出装置５０の下目皿８０は、スペーサ５３および上目皿７０の軸心と下目皿８０の軸心とを一致させるようにしてスペーサ５３および上目皿７０の下方に配置される。繰出装置５０の下目皿８０は、下目皿８０の下面が繰出板５５の上面に当接するようにして繰出板５５の上方に配置される。繰出装置５０の下目皿８０および繰出板５５は、ケース５１内において下目皿８０および繰出板５５が一体となって上目皿７０と平行に保たれた状態で上目皿７０および下目皿８０の軸心方向に移動可能に構成される。繰出装置５０の下目皿８０は、凸部８１と、中央孔８２と、溝部８３と、下目皿孔８４と、を有する。
【００４４】
播種装置４０における繰出装置５０の下目皿８０の凸部８１は、下目皿８０の下面の中央部から下方に突出するように形成される。繰出装置５０における下目皿８０の中央孔８２は、凸部８１の中央部（下目皿８０の中央部）に、凸部８１の上面から下目皿８０の下面に貫通するように形成される。繰出装置５０における下目皿８０の中央孔８２は、その内径が目皿駆動軸５２の下部の外径よりも大きく形成されて、目皿駆動軸５２の下部を挿入可能に構成される。そして、繰出装置５０における下目皿８０は、下目皿８０の中央孔８２に目皿駆動軸５２の下部が挿入された状態で、下目皿８０の軸心方向に移動可能に構成される。
【００４５】
播種装置４０における繰出装置５０の下目皿８０の溝部８３は、環状の溝であり、下目皿８０の上面の中央部（下面における凸部７１が形成される部分に相当する位置）に、上方が解放するとともに、中央孔８２の外側を囲むように形成される。
【００４６】
播種装置４０における繰出装置５０の下目皿８０の下目皿孔８４は、下目皿８０の半径方向中途部において、下目皿８０の上面から下面に（下目皿８０の軸心方向に沿って）貫通するように形成される。繰出装置５０における下目皿８０の下目皿孔８４は、円柱状に形成される。繰出装置５０における下目皿８０の下目皿孔８４は、上目皿７０の突出部７３が挿入可能に形成される。繰出装置５０における下目皿８０の下目皿孔８４は、その軸心方向の長さが上目皿７０の突出部７３における軸心方向の長さと略同一に構成される。繰出装置５０における下目皿８０の下目皿孔８４は、下目皿８０の軸心と上目皿７０との軸心とを一致させるようにして上目皿７０の下方に下目皿８０が配置された状態で、上目皿７０の突出部７３（上目皿孔７４）が形成される位置に相当する位置（上目皿７０の突出部７３の下方）に、形成される。繰出装置５０における下目皿８０の下目皿孔８４は、下目皿８０の軸心とスペーサ５３との軸心とを一致させるようにしてスペーサ５３の下方に下目皿８０が配置された状態で、下目皿孔８４の上方の開口がスペーサ５３の内周面よりも内側（軸心側）に位置するように形成される。繰出装置５０における下目皿８０の下目皿孔８４は、複数個配置される。繰出装置５０では、八個の下目皿孔８４・８４・・が下目皿８０の軸心を中心にして周方向に均等に配置される。
【００４７】
播種装置４０における繰出装置５０の下目皿８０の各下目皿孔８４には、各下目皿孔８４の上方の開口から上目皿７０の各突出部７３が挿入される。そして、繰出装置５０では、上目皿７０の上目皿孔７４と、下目皿８０の下目皿孔８４と、で目皿６０の目皿孔６１が構成される。繰出装置５０における上目皿７０の上目皿孔７４と、下目皿８０の下目皿孔８４における上目皿７０の突出部７３が挿入されていない部分（下目皿孔８４の露出している部分）と、で目皿６０の目皿孔６１が構成される。
【００４８】
播種装置４０における繰出装置５０の下目皿８０は、前記下目皿８０の各下目皿孔８４に上目皿７０の各突出部７３が挿入された状態で、目皿駆動軸５２が回転すると、目皿駆動軸５２および上目皿７０と一体となって回転するように構成される。繰出装置５０における下目皿８０は、前記下目皿８０の各下目皿孔８４に上目皿７０の各突出部７３（突出部７３の少なくとも一部が）が挿入された状態で、下目皿８０の下目皿孔８４内を上目皿７０の突出部７３が上下方向（上目皿７０および下目皿８０の軸心方向）に摺動（移動）可能に構成される。
【００４９】
播種装置４０における繰出装置５０では、繰出板５５および下目皿を位置変更手段９０によって移動させることにより、上目皿７０の突出部７３における下目皿８０の下目皿孔８４への挿入位置を変更させて、目皿６０の目皿孔６１は、目皿孔６１の容積を増減可能に構成される。繰出装置５０では、下目皿８０を下方（上目皿７０側と反対側）に移動させて上目皿７０の突出部７３における下目皿８０の下目皿孔８４への挿入位置を変更すると、下目皿８０の下目皿孔８４における上目皿７０の突出部７３が挿入されていない部分の容積が大きくなって（目皿６０の目皿孔６１における軸心方向の長さが長くなって）、目皿６０の目皿孔６１の容積が増加する（図３参照）。また、繰出装置５０では、下目皿８０を上方（上目皿７０側）に移動させて上目皿７０の突出部７３における下目皿８０の下目皿孔８４への挿入位置を変更すると、下目皿８０の下目皿孔８４における上目皿７０の突出部７３が挿入されていない部分の容積が小さくなって（目皿６０の目皿孔６１における軸心方向の長さが短くなって）、目皿６０の目皿孔６１の容積が減少する（図７参照）。
【００５０】
このようにして、播種装置４０における繰出装置５０では、目皿６０の目皿孔６１の容積を増減させて、目皿６０の目皿孔６１に溜められる種子（粒状物）の量を増減させることができ、繰出装置５０によって繰出される繰出し単位毎の種子（粒状物）の量を増減させることができる。
【００５１】
播種装置４０における繰出装置５０の位置変更手段９０は、下目皿８０の軸心方向に繰出板５５および下目皿８０を移動させて、ケース５１内における繰出板５５および下目皿８０の位置を変更させる手段である。繰出装置５０の位置変更手段９０は、弾性部材５６と、移動部９１と、操作部９２と、を備え、操作部９２を操作して移動部９１を移動させることによって繰出板５５を下方から押圧可能に構成される。
【００５２】
播種装置４０における繰出装置５０の位置変更手段９０の弾性部材５６は、コイル状のバネで構成される。繰出し装置５０の弾性部材５６は、その上端部を上目皿７０の下面に当接させ、その下端部を下目皿８０の溝部８３内に収納してその下端部を溝部８３の底面に当接させるようにして、上目皿７０と下目皿８０との間に配置される（図３参照）。繰出し装置５０における位置変更手段９０の弾性部材５６は、このように配置された状態で、下目皿８０および繰出板５５を下方に付勢する。
【００５３】
播種装置４０における繰出装置５０の位置変更手段９０の移動部９１は、下目皿８０の軸心方向に移動可能に構成される。繰出装置５０における位置変更手段９０の移動部９１は、繰出板５５の下方に配置され、左右一対の押圧板９３と、カム当接部材９４と、前後一対の支持部材９５と、を有して構成される。
【００５４】
繰出装置５０における位置変更手段９０の移動部９１の押圧板９３は、平板状の部材であり、上部が二又状の側面視略Ｖ字状に形成される。繰出装置５０における位置変更手段９０の移動部９１の押圧板９３は、下部の左右中央にカム当接部材９４が嵌挿される嵌挿孔を有する。繰出装置５０における位置変更手段９０の移動部９１のカム当接部材９４は、棒状の部材であり、カム当接部材９４の両端部が押圧板９３のそれぞれの嵌挿孔にそれぞれ嵌挿されて、押圧板９３の下部間を左右水平に掛け渡されるように配置される。このようにして、繰出装置５０における位置変更手段９０の移動部９１は、カム当接部材９４の両端部が押圧板９３から外側に突出するように構成される。繰出装置５０における位置変更手段９０の移動部９１の支持部材９５は、棒状の部材であり、押圧板９３を支持するように押圧板９３の間に掛け渡されて、カム当接部材９４の前後にそれぞれ配置される。
【００５５】
繰出装置５０における位置変更手段９０の移動部９１は、一対の押圧板９３における上部のＶ字状の二つの先端部がそれぞれ繰出板５５の下面に当接するように配置される。つまり、繰出装置５０における位置変更手段９０の移動部９１は、一対の押圧板９３のそれぞれの先端部で、上部繰出板５５の下面の四箇所（複数箇所）に当接するように、構成される。このとき、繰出装置５０における位置変更手段９０の移動部９１は、下目皿８０の軸心から等距離で繰出板５５の下面に当接するように構成される。
【００５６】
播種装置４０における繰出装置５０の位置変更手段９０の操作部９２は、移動部９１の下方に配置されて、操作部９２を操作することによって移動部９１を移動させるように構成される。繰出装置５０における位置変更手段９０の操作部９２は、軸部材９６と、一対のカム部材９７と、操作レバー９８と、を有して構成される。
【００５７】
繰出装置５０における位置変更手段９０の操作部９２の軸部材９６は、棒状の部材であり、回動自在にその両側がケース５１に水平に支持されて構成される。繰出装置５０における位置変更手段９０の操作部９２の軸部材９６は、その軸心方向と下目皿８０の軸心方向とが直交するようにケース５１に水平に支持される。繰出装置５０における位置変更手段９０の操作部９２のカム部材９７は、平板状の部材であって、側部（外周部）にカム面を有し、略楕円形に形成されて構成される。繰出装置５０における位置変更手段９０の操作部９２のカム部材９７は、ケース５１内において下目皿８０の軸心から左右に等距離で軸部材９６に固定される。繰出装置５０における位置変更手段９０の操作部９２のカム部材９７は、そのカム面が移動部９１のカム当接部材９４に当接するように配置される。繰出装置５０における位置変更手段９０の操作部９２の操作レバー９８は、ケース５１外で軸部材９６に固定される。
【００５８】
そして、播種装置４０における繰出装置５０の位置変更手段９０は、操作部９２の操作レバー９８を回動させて軸部材９６およびカム部材９７を回動させることにより、カム部材９７の移動部９１のカム当接部材９４に対する当接位置が変更されて、下目皿８０の軸心方向上方または下目皿８０の軸心方向下方に移動部９１を移動させるように構成される。なお、繰出装置５０の位置変更手段９０の操作レバー９８が任意の回動位置で保持できるように、図示しない保持手段がケース５１外部に設けられる。繰出装置５０の位置変更手段９０は、移動部９１を上方（下目皿８０の軸心方向上方）に移動させて繰出板５５を下方から押圧（繰出板５５の下面を押圧）させることによって、弾性部材５６の付勢力に反して繰出板５５および下目皿８０を上方に移動させるように構成される（図７参照）。繰出装置５０の位置変更手段９０は、移動部９１を下方（下目皿８０の軸心方向下方）に移動させて繰出板５５への押圧を解除することによって、繰出板５５および下目皿８０を下方に移動させるように構成される。このとき、繰出装置５０の繰出板５５および下目皿８０は、弾性部材５６に付勢力に従って下方に移動する。このようにして、繰出装置５０の位置変更手段９０は、繰出板５５および下目皿８０の位置を変更可能に構成される。
【００５９】
そして、繰出装置５０の位置変更手段９０の移動部９１は、繰出板５５の下面に当接して下目皿８０に偏荷重がかからないように繰出板５５を押圧しながら下目皿８０の軸心方向に移動可能に構成される。このため、繰出装置５０では、位置変更手段９０によって下目皿８０の軸心方向に繰出板５５および下目皿８０を移動させるときに、繰出板５５の軸心が下目皿８０の軸心方向に対して傾斜して繰出板５５の側部の角がケース５１の内壁に引っ掛ること、を抑制することができる。したがって、繰出装置５０によれば、位置変更手段９０によって下目皿８０の軸心方向に繰出板５５および下目皿８０を移動させるときの繰出板５５の動作不良が発生することを抑制することができる。
【００６０】
また前述のように、播種装置４０における繰出装置５０の位置変更手段９０の移動部９１は、下目皿８０の軸心から等距離で繰出板５５の下面の複数箇所に当接するように構成される。このため、繰出装置５０では、位置変更手段９０の移動部９１が繰出板５５の下面において下目皿８０の軸心を囲むようにその全周で当接するように構成されるもの（例えば、環状または筒状に構成されるもの）に比べて、移動部９１と繰出板５５との接触面積を少なくすることができ、移動部９１と繰出板５５との間にゴミが入り込む機会を減少させることができる。よって、繰出装置５０では、位置変更手段９０の移動部９１が繰出板５５の下面における下目皿の軸心の全周に当接するように構成されるものに比べて、位置変更手段９０によって下目皿８０の軸心方向に繰出板５５および下目皿８０を移動させるときに繰出板５５の軸心が下目皿８０の軸心方向に対して傾斜して繰出板５５の側部の角がケース５１の内壁に引っ掛ること、をより確実に抑制することができる。したがって、繰出装置５０によれば、位置変更手段９０の移動部９１が繰出板５５の下面における下目皿の軸心の全周に当接するように構成されるものに比べて、位置変更手段９０によって下目皿８０の軸心方向に繰出板５５および下目皿８０を移動させるときの繰出板５５の動作不良が発生することを抑制することができる。
【００６１】
播種装置４０における繰出装置５０は、案内手段５８を備える。繰出装置５０の案内手段５８は、位置変更手段９０の移動部９１における下目皿８０の軸心方向への移動を案内するものである。繰出装置５０の案内手段５８は、ケース５１（下ケース５１ｂ）の内面に、案内溝５８ａが形成されて構成される。繰出装置５０の案内手段５８の案内溝５８ａは、ケース５１（下ケース５１ｂ）の左右の内面にそれぞれ形成される。繰出装置５０の案内手段５８の案内溝５８ａは、下目皿８０の軸心方向と平行に形成される。繰出装置５０の案内手段５８の案内溝５８ａは、側面視で下目皿８０の軸心方向と一致するように形成される。繰出装置５０の案内手段５８の案内溝５８ａは、その溝幅が位置変更手段９０の移動部９１のカム当接部材９４の両端部の直径と略同一に形成される。繰出装置５０の案内手段５８のそれぞれの案内溝５８ａには、位置変更手段９０の移動部９１におけるカム当接部材９４の両端部がそれぞれ配置される。このように配置される位置変更手段９０の移動部９１は、その両端部が案内手段５８のそれぞれの案内溝５８ａを摺動しながら下目皿８０の軸心方向に移動可能に構成される。  
【００６２】
このように繰出装置５０の案内手段５８（案内溝５８ａ）が構成されることにより、位置変更手段９０の移動部９１は、案内手段５８（案内溝５８ａ）によって案内されて下目皿８０の軸心方向に移動することとなる。このため、繰出装置５０では、下目皿８０の軸心方向への位置変更手段９０の移動部９１を安定して移動させることができる。
【符号の説明】
【００６３】
１    走行機体
１９  湛水直播機
４０  播種装置
５０  繰出装置
５３  スペーサ
５５  繰出板
５５ａ  繰出口
５７  シム
６０  目皿
６１  目皿孔
７０  上目皿
７３  突出部
７４  上目皿孔
７６  上突出部
８０  下目皿
８４  下目皿孔
９０  位置変更手段
９１  移動部
９２  操作部
【図１】
0005977030.tif 000002
【図２】
0005977030.tif 000003
【図３】
0005977030.tif 000004
【図４】
0005977030.tif 000005
【図５】
0005977030.tif 000006
【図６】
0005977030.tif 000007
【図７】
0005977030.tif 000008